(57)【要約】      （修正有）【課題】長時間使用することができ脚の筋肉の引き締め、及び十分なダイエット効果が得られる履物を提供する。【解決手段】履物１は、足裏全体を載せることの可能な履物台１０と、履物台の左右外縁から延びる第１カバー１１及び第２カバー１２と、履物台の地面側に設けられた接地部１３を備える。第１カバーは足の指を覆い、第２カバーは足の甲から踵の後側を覆う。接地部は、側面から見たとき、つま先部２と踵部３の肉厚が薄く、前後方向の中央部の肉厚が厚く地面側に膨らむ円弧状である。これにより、履物台に足裏全体を載せることが可能であり、第１カバーと第２カバーにより、履物台から足裏がずれることが防がれる。履物を履いて、バランスを取りながら長時間歩くこと、又は、長時間ストレッチ運動を行うことが可能となる。【選択図】図１
0003184854.tif 000002
【実用新案登録請求の範囲】
【請求項１】
足裏全体を載せることの可能な履物台と、
前記履物台の左右外縁から延び、足の指を覆う第１カバーと、
前記履物台の左右外縁から延び、足の甲から踵の後側を覆う第２カバーと、
前記履物台の地面側に設けられ、側面から見たとき、つま先部と踵部の肉厚が薄く、前後方向の中央部が厚い円弧状の接地部を備えることを特徴とする履物。
【請求項２】
前記接地部は、地面側に最も膨らむ頂部が、前後方向の中心よりも前側に位置し、
前記頂部よりも前側に位置する部分の曲率半径よりも、前記頂部よりも後側に位置する部分の曲率半径が大きいことを特徴とする請求項１に記載の履物。
【請求項３】
前記履物台は、人の足裏に接する面に突起を有し、
左足用の前記履物台に設けられた前記突起の位置と、右足用の前記履物台に設けられた前記突起の位置とが異なることを特徴とする請求項１または２に記載の履物。
【請求項４】
前記履物台は、人の足裏に接する面に突起を有し、
前後方向の中心よりも前側に設けられた前記突起の数は、前後方向の中心よりも後側に設けられた前記突起の数よりも多いことを特徴とする請求項１から３のいずれか一項に記載の履物。
【請求項５】
前記履物台、前記第１カバー、前記第２カバー及び前記接地部は、軟質材から一体に形成されていることを特徴とする請求項１から４のいずれか一項に記載の履物。
【考案の詳細な説明】
【技術分野】
【０００１】
本考案は、履物に関する。
【背景技術】
【０００２】
従来より、履物台の地面側に設けられた接地部を椀型にした履物が知られている。この履物を履き、バランスを取りながら歩くことにより、バランス感覚を養うことが可能である。
特許文献１に記載の履物は、足裏の中央部だけを載せる履物台と、その履物台の左右外縁から延びて足の甲を覆うカバーを備えている。履物台の地面側に設けられた接地部は、椀型に形成されている。
【先行技術文献】
【特許文献】
【０００３】
【特許文献１】実用新案登録第３１８２５９０号公報
【考案の概要】
【考案が解決しようとする課題】
【０００４】
しかしながら、特許文献１に記載の履物は、履物台に足裏の中央部だけを載せるものであるので、その履物を履いて長時間歩くことが困難である。そのため、履物を履いて歩行運動を行う時間が短くなると、脚の筋肉の引き締め、及びダイエット効果が十分に得られなくなることが懸念される。
本考案は上記問題に鑑みてなされたものであり、長時間使用することを可能にした履物を提供することを目的とする。
【課題を解決するための手段】
【０００５】
請求項１に係る考案によると、履物は、足裏全体を載せることの可能な履物台と、履物台の左右外縁から延びる第１カバー及び第２カバーと、履物台の地面側に設けられた接地部を備える。
第１カバーは足の指を覆い、第２カバーは足の甲から踵の後側を覆う。
接地部は、側面から見たとき、つま先部と踵部の肉厚が薄く、前後方向の中央部が厚い円弧状である。
この構成により、履物台に足裏全体を載せることが可能であり、第１カバーと第２カバーにより、履物台から足裏がずれることが防がれる。そのため、履物を履いて、バランスを取りながら長時間歩くことや、ストレッチ運動を長時間行うことが可能になる。したがって、履物は、筋肉の活動量を増加し、脂肪燃焼・ダイエット効果を高めることで、太りにくく美しいスタイルを作ることができる。
【０００６】
請求項２に係る考案によると、接地部は、地面側に最も膨らむ頂部が、前後方向の中心よりも前側に位置する。そのため、接地部は、頂部よりも前側に位置する部分の曲率半径よりも、頂部よりも後側に位置する部分の曲率半径が大きい。
これにより、履物を履き、体重をつま先寄りにかけて歩くことで、下腿二頭筋、大腿四頭筋、大臀筋、腹直筋等の活動量を増加することができる。
【０００７】
請求項３に係る考案によると、履物台は、人の足裏に接する面に突起を有する。その突起は、左足用の前記履物台に設けられた位置と、右足用の前記履物台に設けられた位置とが異なる。
これにより、人の左足のツボと右足のツボに合わせた位置に突起を設けることが可能になる。したがって、この履物を履くことで、代謝率を増加し、脂肪燃焼・ダイエット効果を高めることができる。
【０００８】
請求項４に係る考案によると、履物台の突起は、前後方向の中心よりも前側に設けられた個数が、その中心よりも後側に設けられた個数に比べて多い。
これにより、体重をつま先寄りにかけて履物を履いた場合、前側に設けられた突起により、足裏に与える刺激を増やすことができる。
【０００９】
請求項５に係る考案によると、履物台、第１カバー、第２カバー及び接地部は、軟質材から一体に形成されている。
これにより、履物の製造コストを低減することができる。
【図面の簡単な説明】
【００１０】
【図１】本考案の一実施形態による履物の斜視図である。
【図２】左足用の履物の正面図である。
【図３】左足用の履物の背面図である。
【図４】左足用の履物の左側面図である。
【図５】左足用の履物の右側面図である。
【図６】右足用の履物と左足用の履物の平面図である。
【図７】左足用の履物の底面図である。
【００１１】
以下、本考案による実施形態を図面に基づいて説明する。
（一実施形態）
本考案の一実施形態を図１〜図７に示す。本実施形態の履物１は、バランスを取りながら歩くことでダイエット運動を行うことが可能なスリッパである。
履物１は、足裏全体を載せることの可能な履物台１０と、その履物台１０の左右外縁から延びる第１カバー１１及び第２カバー１２と、履物台１０の地面側に設けられた接地部１３を備える。
履物台１０、第１カバー１１、第２カバー１２及び接地部１３は、一種類の軟質材から一体に形成されている。軟質材として、エチレン酢酸ビニル又はポリエチレン等の合成樹脂、或いはエラストマーなどが例示される。
【００１２】
履物台１０には、つま先部２から踵部３にかけて足裏全体を載せることが可能である。
図４及び図５に示すように、履物台１０は、つま先部２から中央部に向かい肉厚が次第に厚くなり、中央部から踵部３に向かい肉厚が次第に薄くなるようにラウンドしている。そのため、履物台１０の地面側に設けられた接地部１３は、側面から見たとき、前後方向の中央部が地面側に膨らむ略円弧状に形成される。これにより、履物１を履いて、バランスを取りながら歩く歩行運動、又はストレッチ運動を行うことが可能である。
【００１３】
接地部１３は、地面側に最も膨らむ頂部Ｐが、履物台１０の前後方向の中心Ｏよりも前側に位置する。そのため、接地部１３は、頂部Ｐよりも前側に位置する部分の曲率半径よりも、頂部Ｐよりも後前側に位置する部分の曲率半径の方が大きい。
これにより、履物１を履いて歩くとき、体重をつま先寄りにかけて、安定して歩くことができる。そのため、履物１による長時間の歩行運動又はストレッチ運動が可能になる。
なお、図４及び図５では、履物台１０の前後方向の中心Ｏと頂部Ｐとの距離を矢印Ｌで示している。
【００１４】
図２及び図３に示すように、接地部１３は、前後方向のどの位置においても、左右方向の肉厚が略同じであり、左右方向にラウンドしていない。これにより、履物１を履いて歩くとき、体が左右によろめくことが防がれる。
図７に示すように、接地部１３は凹凸による滑り止め１５と、複数の穴１６を有する。
【００１５】
図１及び図６に示すように、履物台１０は、人の足裏に接する面に突起１７を有する。これにより、足裏のツボを押し、代謝率を増加することで、脂肪燃焼・ダイエット効果が高くなる。
左足用の履物の履物台１０の突起１７は、人の左足のツボに合わせた位置に設けられる。右足用の履物の履物台１０の突起１７は、人の右足のツボに合わせた位置に設けられる。そのため、突起１７は、左足用の履物台１０に設けられた位置と、右足用の履物台１０に設けられた位置とが異なる。
さらに、突起１７は、前後方向の中心Ｏよりも前側に設けられる個数が、中心Ｏよりも後側に設けられる個数に比べて多い。そのため、体重をつま先寄りにかけて履物１を履いた場合、足裏に与える刺激を増やすことができる。したがって、この履物１を履くことで、代謝率を増加し、脂肪燃焼・ダイエット効果を高めることができる。
【００１６】
第１カバー１１は、帯状に形成され、履物台１０の左右外縁に接続し、主に人の足の指を覆う。第１カバー１１は、人の足が履物台１０から前へずれることを防ぐ。
第２カバー１２は、履物台１０の左右外縁に接続して主に人の足の甲を覆う帯部１８と、踵の後側を覆う後壁部１９を有する。第２カバー１２は、人の足が履物台１０から横または後ろへずれることを防ぐ。
すなわち、第１カバー１１と第２カバー１２により、履物台１０から足裏がずれることが防がれる。また、第１カバー１１と第２カバー１２により、足指や足裏が突起１７に押し当てられる。
【００１７】
（本実施形態の作用効果）
本実施形態の履物１を履き、バランスを取りながら歩行運動またはストレッチ運動をすることにより、下腿二頭筋、大腿四頭筋、大臀筋、腹直筋等の活動量を増加し、筋肉を引き締め、脂肪を燃焼することができる。
さらに、履物台１０に設けた突起１７により、足裏のツボを刺激し、代謝率を増加することで、ダイエット効果を高めることが可能である。
【００１８】
本実施形態の履物１は、足裏全体を履物台１０に載せることが可能になり、第１カバー１１と第２カバー１２により、履物台１０から足裏がずれることが防がれる。そのため、履物１を履いて、バランスを取りながら長時間歩くことや、ストレッチ運動を長時間行うことが可能である。したがって、主に下半身の筋肉の引き締め効果によるダイエットができ、さらに、バランスを取りながら歩くことで身体全体の筋肉を活動させ、太りにくく美しいスタイルを作ることができる。
【００１９】
（他の実施形態）
（１）上述した一実施形態では、スリッパとして使用する履物について説明した。これに対し、他の実施形態では、履物は、サンダルとして使用することも可能である。
【００２０】
（２）上述した一実施形態では、履物台、第１カバー、第２カバー及び接地部を一種類の軟質材から一体に形成した。これに対し、他の実施形態では、履物台と第１カバーと第２カバーを別体で形成した後、溶着または接着などにより接合してもよい。
【００２１】
（３）上述した一実施形態では、接地部は、地面側に最も膨らむ頂部が、履物台の前後方向の中心よりも前側に位置するように構成した。これに対し、他の実施形態では、接地部は、前後方向の中心に頂部が位置するように構成してもよく、又は、前後方向の中心よりも後側に頂部が位置するように構成してもよい。
【００２２】
（４）上述した一実施形態では、接地部は、左右方向にラウンドしないように構成した。これに対し、他の実施形態では、接地部は、前後方向および左右方向にもラウンドするように構成してもよい。これにより、バランス運動の効果を高めることができる。
このように、本考案は、上記実施形態に限定されるものではなく、実用新案登録請求の範囲に記載した考案の趣旨を逸脱しない範囲において、種々の形態で実施することができる。
【符号の説明】
【００２３】
１  ・・・履物
１０・・・履物台
１１・・・第１カバー
１２・・・第２カバー
１３・・・接地部
１５・・・滑り止め
１６・・・穴
１７・・・突起
１８・・・帯部
１９・・・後壁部
【図１】
0003184854.tif 000003
【図２】
0003184854.tif 000004
【図３】
0003184854.tif 000005
【図４】
0003184854.tif 000006
【図５】
0003184854.tif 000007
【図６】
0003184854.tif 000008
【図７】
0003184854.tif 000009